(57)【要約】【課題】写真フィルムにカットが入った状態でも共通巻き取り部と搬送経路の接続箇所において写真フィルムの引っかかりが生じないようなフィルム搬送ユニットを提供する。【解決手段】  １３５フィルムを搬送させる第１搬送経路Ｒ１と、この経路途上に設けられた第１開口部Ｋ１と、ＡＰＳフィルムの搬送させる第２搬送経路Ｒ２と、この経路途上に設けられた第２開口部Ｋ２と、これら経路Ｒ１，Ｒ２が設けられた可動搬送ユニット３５と、いずれかのフィルムを巻き取る巻き取り部Ｍと、第１又は第２経路Ｒ１，Ｒ２のいずれか一方を巻き取り部Ｍに接続するために、可動搬送ユニット３５をフィルム幅方向に沿って移動させる電動モータ３７と、第１搬送経路Ｒ１の経路終端側に形成される第１ガイド部と、第１搬送経路Ｒ１と共通巻き取り部Ｍを接続した状態で、第１ガイド部に向かい合う位置に設けられ、共通巻き取り部Ｍ側に形成される第２ガイド部とを備え、これらガイド部の接続箇所において、一方側から他方側へと延びる延出部を形成した。【選択図】図１
2005219919.tif 000002
【特許請求の範囲】
【請求項１】
第１写真フィルムを搬送させるための第１搬送経路と、
この第１搬送経路の経路途上に設けられた第１処理用開口部と、
第２写真フィルムの搬送させるための第２搬送経路と、
この第２搬送経路の経路途上に設けられた第２処理用開口部と、
これら第１搬送経路と第２搬送経路とが設けられた可動搬送ユニットと、
第１写真フィルム又は第２写真フィルムのいずれかを巻き取り収容する共通巻き取り部と、
第１搬送経路又は第２搬送経路のいずれか一方を共通巻き取り部に接続するために、可動搬送ユニットを写真フィルムの幅方向に沿う方向に移動可能にするためのユニット移動機構と、
第１搬送経路の経路終端側に形成される第１ガイド部と、
第１搬送経路と共通巻き取り部を接続した状態で、前記第１ガイド部に向かい合う位置に設けられ、共通巻き取り部側に形成される第２ガイド部とを備え、
第１ガイド部と第２ガイド部との接続箇所において、これらガイド部のうちの少なくとも一方側に、他方側へと延びる延出部を形成したことを特徴とするフィルム搬送ユニット。
【請求項２】
前記延出部は、搬送経路の幅方向両側に夫々形成された第１延出部と第２延出部とを有していることを特徴とする請求項１に記載のフィルム搬送ユニット。
【請求項３】
第１延出部は、第１ガイド部側に形成されると共に、第２延出部は、第２ガイド部側に形成され、かつ、可動搬送ユニットの移動方向は、第１延出部が共通巻き取り部から遠ざかる方向に設定されていることを特徴とする請求項１又は２に記載のフィルム搬送ユニット。
【発明の詳細な説明】
【技術分野】
【０００１】
本発明は、第１写真フィルムを搬送させるための第１搬送経路と、この第１搬送経路の経路途上に設けられた第１処理用開口部と、第２写真フィルムの搬送させるための第２搬送経路と、この第２搬送経路の経路途上に設けられた第２処理用開口部と、これら第１搬送経路と第２搬送経路とが設けられた可動搬送ユニットと、第１写真フィルム又は第２写真フィルムのいずれかを巻き取り収容する共通巻き取り部と、第１搬送経路又は第２搬送経路のいずれか一方を共通巻き取り部に接続するために、可動搬送ユニットを写真フィルムの幅方向に沿う方向に移動可能にするためのユニット移動機構とを備えたフィルム搬送ユニットに関するものである。
【背景技術】
【０００２】
かかるフィルム搬送ユニットは、例えば、現像済み写真フィルムに形成されたコマ画像を電子的に読み取るために用いられる。また、一般カメラユーザーによく使用される写真フィルムとして、１３５フィルム（３５ｍｍフィルム、第１写真フィルムに相当）とＡＰＳフィルム（２４０フィルム、第２写真フィルムに相当）とが知られており、これら２種類の写真フィルムからコマ画像を読み取るために、２つの搬送経路を備えたフィルム搬送ユニットも知られている（例えば、本出願人による下記特許文献１）。すなわち、第１写真フィルムを搬送させるための第１搬送経路と、第２写真フィルムを搬送させるための第２搬送経路とを備えており、これらの搬送経路の途中には、それぞれ第１処理用開口部と第２処理用開口部とが設けられ、これらの開口部を介して写真フィルムの画像読み取り（スキャニング）を行うことができる。
【０００３】
また、写真フィルムの画像読み取りを行う場合、搬送経路の挿入口から写真フィルムが挿入され、搬送経路に沿って搬送される。このとき（往路搬送時）行われる画像読み取りは、プレスキャニングと呼ばれるものであり、画像を粗い画素数で読み取る。取得した画像データに基づいて、画像をモニター画面に表示させることで、オペレータによる画像処理が行われる。プレスキャニングで読み取られる画像は、写真プリント作成には用いられず、この画像処理作業のために用いられる。
【０００４】
そして、処理用開口部を通過した写真フィルムは、搬送経路の終端側に設けられた巻き取り部に一旦巻き取られる。巻き取り部に巻き取られた写真フィルムは、写真フィルムの画像読み取り（プレスキャニング）が終了すると、逆方向に移送され、処理用開口部を介して本スキャニングが行われる。この本スキャニングによる画像読み取りは高解像度で行われ、取得した画像データは写真プリント等の最終仕上げ処理のために用いられる。逆方向に搬送される写真フィルムは、挿入口から順次排出されていく。
【０００５】
以上のような処理を行うために、写真フィルムを巻き取るための巻き取り部が設けられているが、前述の特許文献１では、第１写真フィルムと第２写真フィルムとで巻き取り部を共用している。そのために、第１・第２搬送経路は、可動搬送ユニットとして一体化されており、可動搬送ユニットをフィルム幅方向に沿って移動させることで、上記共通巻き取り部を第１搬送経路又は第２搬送経路のいずれか一方と接続させる。
【０００６】
しかしながら、上記構成によると次のような問題点があり、これを図７〜図９を用いて説明する。図７において、第１写真フィルム（１３５フィルム）用の第１搬送経路Ｒ１と、第２写真フィルム（ＡＰＳフィルム）用の第２搬送経路Ｒ２とが設けられ、これらは可動搬送ユニット１００に一体的に設けられている。また、共通巻き取り部Ｍが設けられている。図７は、第１搬送経路Ｒ１と共通巻き取り部Ｍとが接続された状態を示している。両者は経路が接続されているとは言え、２つの搬送経路Ｒ１，Ｒ２を切り換えなければならないため、両者の接続箇所には、隙間Ｓが必然的に形成される。この隙間Ｓの存在により、巻き取り部Ｍに巻き取られた写真フィルムが図７（ｂ）に示すように矢印方向に搬送されるときに、写真フィルムが引っ掛かる可能性がある。すなわち、写真フィルムには図９に示すようなカットＣＵが不用意に入ってしまうことがあり、このカット部分が上記の隙間Ｓに引っ掛かってしまう。
【０００７】
このようなカットＣＵが形成される原因について説明する。図８に示すように、１３５フィルムを現像処理する場合、リーダ９０を使用する。リーダ９０に２本の写真フィルムＦをテープ９１により貼り付ける。このリーダ９０により現像処理装置内を写真フィルムＦが案内され、現像処理が施される。写真フィルムＦの現像が終了すると、リーダ９０と写真フィルムＦとを切り離す必要があり、このときはさみ等により写真フィルムＦを切断するが、この時に不用意に写真フィルムＦに対してカットＣＵを入れてしまう可能性がある。特に、現像済みの写真フィルムＦは現像処理完了後、リーダ９０と共に多数が垂直につるした状態に保持されるが、このような状態ではさみによる切断を行うと、間違えて他の写真フィルムをカットしてしまうことがありうる。
【０００８】
ちなみに、ＡＰＳフィルムの場合は、リーダと写真フィルムとをテープを用いないで係合できるようになっており、ＡＰＳフィルムの場合は１３５フィルムのようなカットＣＵが不用意に入ってしまうことはない。
【特許文献１】特開２００１−５１３５２号公報
【発明の開示】
【発明が解決しようとする課題】
【０００９】
本発明は上記実情に鑑みてなされたものであり、その課題は、写真フィルムに不用意にカットが入った状態であっても共通巻き取り部と搬送経路の接続箇所において写真フィルムの引っかかりが生じないようなフィルム搬送ユニットを提供することである。
【課題を解決するための手段】
【００１０】
上記課題を解決するため本発明に係るフィルム搬送ユニットは、
第１写真フィルムを搬送させるための第１搬送経路と、
この第１搬送経路の経路途上に設けられた第１処理用開口部と、
第２写真フィルムの搬送させるための第２搬送経路と、
この第２搬送経路の経路途上に設けられた第２処理用開口部と、
これら第１搬送経路と第２搬送経路とが設けられた可動搬送ユニットと、
第１写真フィルム又は第２写真フィルムのいずれかを巻き取り収容する共通巻き取り部と、
第１搬送経路又は第２搬送経路のいずれか一方を共通巻き取り部に接続するために、可動搬送ユニットを写真フィルムの幅方向に沿う方向に移動可能にするためのユニット移動機構と、
第１搬送経路の経路終端側に形成される第１ガイド部と、
第１搬送経路と共通巻き取り部を接続した状態で、前記第１ガイド部に向かい合う位置に設けられ、共通巻き取り部側に形成される第２ガイド部とを備え、
第１ガイド部と第２ガイド部との接続箇所をオーバーラップさせるため、これらガイド部のうちの少なくとも一方側に、他方側へと延びる延出部を形成したことを特徴とするものである。
【００１１】
この構成によるフィルム搬送ユニットの作用・効果を説明する。可動搬送ユニットは、第１搬送経路と第２搬送経路が設けられており、それぞれ、第１写真フィルムと第２写真フィルムとが搬送される。両搬送経路に対して共通に使用される共通巻き取り部が設けられており、第１搬送経路又は第２搬送経路のいずれか一方を共通巻き取り部と接続した状態にすることができる。すなわち、可動搬送ユニットは各搬送経路における写真フィルムの幅方向に沿う方向に移動可能に構成されている。なお、可動搬送ユニットの移動は、手動で移動させる構成でもよいし、アクチュエータにより移動させる構成でもよい。また、第１搬送経路の経路終端側には第１ガイド部が形成され、共通巻き取り部の側には第２ガイド部が形成される。これら第１ガイド部と第２ガイド部とが向かい合うことにより接続箇所も形成されるが、この接続箇所が平面視で互いに食い違うように接続される。すなわち、少なくとも、一方のガイド部から他方のガイド部へと延びる延出部が形成されている。これにより、従来技術において接続箇所に生じていたスリット状の隙間をなくすことができ、カットを有する写真フィルムが隙間に入り込むことを防止することができる。なお、両方のガイド部に延出部を設けてもよい。その結果、写真フィルムに不用意にカットが入った状態であっても共通巻き取り部と搬送経路の接続箇所において写真フィルムの引っかかりが生じないようなフィルム搬送ユニットを提供することができる。
【００１２】
本発明に係る延出部は、搬送経路の幅方向両側に夫々形成された第１延出部と第２延出部とを有していることが好ましい。
【００１３】
図９で説明したように写真フィルムに形成されるカットはフィルム幅方向の端部に形成されやすい。ただし、幅方向どちらの端部に形成されるかはわからないので、延出部としてフィルム幅方向両側に第１延出部と第２延出部とを形成することで、確実に写真フィルムの引っ掛かりを防止することができる。
【００１４】
本発明において、第１延出部は、第１ガイド部側に形成されると共に、第２延出部は、第２ガイド部側に形成され、かつ、可動搬送ユニットの移動方向は、第１延出部が共通巻き取り部から遠ざかる方向に設定されていることが好ましい。
【００１５】
第１延出部と第２延出部を設ける場合、第１延出部は第１ガイド部（搬送経路）側に設け、第２延出部は第２ガイド部（巻き取り部）側に設ける。接続箇所に食い違い箇所（あるいは、オーバーラップ）を形成する場合であっても、可動搬送ユニットをスムーズに移動させなければならない。上記のように延出部を構成することで、延出部が他の個所に干渉することなく、可動搬送ユニットを移動できる。
【００１６】
本発明において、第１写真フィルムは３５ｍｍフィルムであり第２写真フィルムはＡＰＳフィルムであることが好ましい。
【００１７】
既に説明したように３５ｍｍフィルムの場合はフィルムに不用意にカットが入る可能性があるので、本発明において得に好適である。ＡＰＳフィルムは、カットが入る可能性はなく、第２搬送経路側には延出部を設ける必要はない。
【発明を実施するための最良の形態】
【００１８】
本発明に係るフィルム搬送ユニットの好適な実施形態を図面を用いて説明する。図１は、本発明に係るフィルム搬送ユニットが用いられる写真処理システムの構成を示す模式図である。
【００１９】
＜写真処理システムの構成＞
図１は、現像済み写真フィルムに形成されているコマ画像を読み取りデジタルデータ化し、デジタル露光操作方式でペーパー（写真感光材料）に画像を焼付露光して写真プリントを作成する写真処理システムであり、画像読取装置１（フイルムスキャナー）とプリンタプロセッサーＰＲを備えている。画像読取装置１は、図１に示すように照明光学系２と、撮像光学系３と、フィルム搬送ユニット４（フィルムキャリア）とを備えている。
【００２０】
照明光学系２は、フィルムキャリア４内を搬送経路に沿って搬送される写真フィルム（ネガフィルムやポジフィルム）に対して光を照射するために設けられる。照明光学系２は、光源部５と、調光フィルター６と、ミラートンネル７とを備えている。光源部１１は、例えば、ハロゲンランプであり、赤（Ｒ）緑（Ｇ）青（Ｂ）の３色の夫々に対応する波長領域の光が含まれている。調光フィルター６は、光源部５からの放射光の色分布を必要に応じて整えるためのものである。従って、光源部５から照射される光は、調光フィルター６とミラートンネル７によって、その色分布や強度分布が調整された後に、写真フィルムＦに照射される。
【００２１】
撮像光学系３は、ズームレンズを含むレンズユニット８と、写真フィルムＦを通過した光を受光するＣＣＤラインセンサー９（以下、ＣＣＤセンサーと省略）を備えている。レンズユニット８は、写真フィルムＦを通過した光をＣＣＤセンサー９上に結像させるために設けられる。なお、図１では、レンズユニット８として１枚のレンズのみが図示されているが、複数のレンズで構成されていても良い。
【００２２】
ＣＣＤセンサー９は、写真フィルムＦの搬送方向（図１の矢印方向であり副走査方向に相当）に直交する方向（主走査方向に相当）に沿って配置されたライン状のセンサーである。ここでＣＣＤセンサー９は、主走査方向つまり写真フィルムＦの幅方向と平行に配列される多数の画素（ピクセル）を有している。ＣＣＤセンサー９は、カラー画像データを取得するために、副走査方向上流側から下流側に沿って互いに所定間隔だけ離間して配置された３つのラインセンサー９ａ，９ｂ，９ｃを備えている。
【００２３】
各ラインセンサー９ａ，９ｂ，９ｃの各撮像面には、Ｒ，Ｇ，Ｂの色分解フィルターのいずれかが夫々取り付けられており、Ｒ，Ｇ，Ｂの各色に対応するように割り当てられている。つまり、赤色に対応するラインセンサー９ａの撮像面には写真フィルムＦを透過した光の赤色成分のみを通過させるカラーフィルタが、これと同様に、緑色に対応するラインセンサー９ｂの撮像面には緑色成分のみを通過させるカラーフィルタが、青色に対応するラインセンサー９ｃの撮像面には青色成分のみを通過させるカラーフィルタが取り付けられている。
【００２４】
データ処理部１０は、各ラインセンサー９ａ，９ｂ，９ｃの画素から出力される各画素信号をサンプルホールドすることにより、各画素信号を連続した画像信号にするとともに、この各画素信号を所定のビット数のデジタル信号に変換した後に、画像処理部１１に送出する。また、画像処理部１１では、オペレータにより入力された色・濃度の補正データに基づいた画像処理や、写真プリント作成のために必要とされる種々の画像補正処理を実行する機能を有する。画像処理部１１で画像処理が施されたコマ画像の画像データは、露光エンジン１３に転送される。
【００２５】
次に、プリンタプロセッサーＰＲの構成を説明する。ペーパーマガジンＭ１，Ｍ２には、写真感光材料であるペーパーがロールの形態で収容されている。いずれか一方のペーパーマガジンＭ１．Ｍ２から長尺状のペーパーが引き出されていき、搬送経路途上に設けられたペーパーカッター１４によりプリントサイズにカットされる。振り分け搬送機構１５により、ペーパーは１列から複列に搬送状態が切り替えられる。
【００２６】
露光エンジン１３は、画像処理部１１から転送されてきた画像データに基づいて、ペーパーに画像を焼付露光する。露光エンジン１３は、レーザーエンジン、ＰＬＺＴエンジン等の種々の構造のものを採用することができる。画像が焼付露光されたペーパーは、搬送機構１６により搬送されて現像処理部１７に送り込まれる。現像処理部１７にて現像処理が施され、乾燥処理部１８で乾燥処理が施された後、ペーパー排出部１９から仕上がりの写真プリントが装置外部に排出される。
【００２７】
＜フィルム搬送ユニットの構成＞
次にフィルム搬送ユニットの構成を説明する。本実施形態においてフィルム搬送ユニットは、現像済み写真フィルム（ネガフィルム及びポジフィルム）に形成されたコマ画像を読み取りデジタルデータ化するための装置（フィルムスキャナー）に用いられる。図２及び図３は平面図であり、図２は１３５フィルムの画像を読み取る状態を示し、図３はＡＰＳフィルムの画像を読み取る状態を示す。
【００２８】
図２に示すように、１３５フィルムを搬送させるための第１搬送経路Ｒ１と、ＡＰＳフィルムを搬送させるための第２搬送経路Ｒ２とが平行な状態に配置されている。第１搬送経路Ｒ１には、１３５フィルムを挿入するための挿入口３０が最上流部（図２の右端）に設けられ、さらに、フィルムを搬送する搬送機構としての搬送ローラ対３１が設けられている。搬送ローラ対３１は、駆動ローラと圧着ローラの組み合わせにより構成されており、不図示の電動モータからの駆動力により駆動ローラが回転駆動されるように構成される。
【００２９】
第１搬送経路Ｒ１の途上には第１開口部Ｋ１（第１処理用開口部に相当）が設けられており、この開口部Ｋ１を介してフィルムの画像を読み取ることができる。第１開口部Ｋ１は、フィルム幅方向に沿ったスリット状の開口として形成されている。ＣＣＤセンサー９もこれに対応したラインセンサーとなっている。また、第１搬送経路Ｒ１の途上には、フィルムの挿入を検出するセンサーやフィルムに形成されたパーフォレーション（孔）を検出するためのセンサーが設けられる。
【００３０】
第２搬送経路Ｒ２の途上には第２開口部Ｋ２（第２処理用開口部に相当）が設けられており、この第２開口部Ｋ２を介してＡＰＳフィルムに形成されたコマ画像を読み取ることができる。第２開口部Ｋ２も第１開口部Ｋ１と同様にフィルム幅方向に沿ったスリット状の開口として形成されている。第２搬送経路Ｒ２にもフィルムを搬送するための搬送ローラ対４１が設けられている。ＡＰＳフィルムの場合は、カートリッジに収容されているので、カートリッジ装填部４０が設けられている。また、ＡＰＳフィルムには磁気情報が形成されているので、これを読み取るための磁気ヘッド４２が設けられている。
【００３１】
以上の第１搬送経路Ｒ１と第２搬送経路Ｒ２はユニット化されており、可動搬送ユニット３５を構成している。フィルムを搬送させるための搬送機構もこの可動搬送ユニット３５に搭載されている。可動搬送ユニット３５は、図２に示す矢印Ａ，Ｂ方向（フィルムの幅方向に相当）に沿って移動可能に構成されている。可動搬送ユニット３５の移動機構として、電動モータ３７とネジ送り機構３８を備えており、さらに一対のガイドレール３６も設けられている。従って、電動モータ３７を駆動することで、可動搬送ユニット３５を矢印Ａ，Ｂ方向に移動させることができる。電動モータ３７、ネジ送り機構３８、ガイドレール３６は、ユニット移動機構として機能する。
【００３２】
可動搬送ユニット３５は、その本体構成として下部本体３５ａと上部本体を有しており、上部本体は下部本体３５ａに対して開閉可能に構成されている。図２及び図３には、下部本体３５ａのみが図示されており、上部本体は除いた状態である。図４に示すように、搬送ローラ対３１は駆動ローラ３１ａと圧着ローラ３１ｂとで構成されるが、下部本体３５ａに駆動ローラ３１ａが取り付けられ、圧着ローラ３１ｂは上部本体に取り付けられることになる。
【００３３】
なお、移動機構としては、本実施形態に限定されるものではなく、他の機構を採用してもよい。例えば、ネジ送り機構ではなく、ギヤによる減速機構を用いた移動機構を採用してもよい。さらに、移動機構としては電動式によるものではなく、手動で可動搬送ユニット３５を移動させるような構成を採用してもよい。
【００３４】
次に共通巻き取り部Ｍ（以下、単に巻き取り部という）の構成を説明する。巻き取り部Ｍは、第１・第２搬送経路Ｒ１，Ｒ２に沿って搬送されてきた写真フィルムを一時的に巻き取り収容する機能を有し、巻き取りが完了した後、写真フィルムをこれまでとは逆方向に搬送させて、巻き取り部Ｍから逆に引き出していく。巻き取り部Ｍは、１３５フィルムとＡＰＳフィルムの巻き取り用として共通に使用している。すなわち、図２に示す状態は、１３５フィルムを巻き取ることができる状態である。図３に示す状態は、ＡＰＳフィルムを巻き取ることができる状態である。
【００３５】
巻き取り部Ｍは、下部本体３５ａ側に構成されている。巻き取り部Ｍは、フィルムを巻きつけるための巻き取り用ドラム５０（以下、単にドラムという）と、フィルムをドラム５０に対して圧接させるためのフィルム押さえ機構が設けられている。図４に示すように、巻き取り部Ｍにフィルムが挿入されてくる入口部に第１ローラ５１と第２ローラ５２が回転自在に設けられる。第１ローラ５１は、軸芯５１ａ回りに回転可能に支持部材５４により支持され、かつ、不図示のスプリングによりドラム５０に圧接する方向に付勢されている。ローラ５２は、軸芯５２ａにおいて取り付けられる支持部材５５に支持されている。また、同じ軸芯５２ａ回りに回転可能な支持部材５６に第３ローラ５３が回転自在に支持されている。第３ローラ５３も不図示のスプリングによりドラム５０に圧接する方向に付勢されている。また軸芯５２ａにも固定のローラが設けられる。また、巻き取り部Ｍに挿入されてきた写真フィルムをガイドするためのガイド面５７が設けられており、このガイド面５７はドラム５０の外径と同心円状に形成されている。このような押さえローラ機構とガイド機構を設けることで、巻き取り部Ｍに挿入されてきた写真フィルムを確実にドラム５０に巻き付けていくことができる。なお、各ローラ５２，５３は、フィルム幅方向において複数箇所設けられている。これに対応して、各ローラ５２，５３を支持する支持部材５５，５６も幅方向において複数所設けられている。なお、ローラを幅方向に何箇所（好ましくは２〜４箇所）配置するかは適宜決めることができる。
【００３６】
＜接続箇所の詳細構成＞
上記のフィルム搬送ユニットにおいて、第１搬送経路Ｒ１と巻き取り部Ｍの接続箇所における構成を図５，図６により詳細に説明する。図６（ａ）は図５のＥ−Ｅ断面図、（ｂ）はＦ−Ｆ断面図である。この接続箇所における写真フィルムの搬送をスムーズに行うための構成を説明する。図５に示すように支持部材５４は、フィルム幅方向にわたって複数箇所設けられており、これらは連結部５４０により連結され一体化されている。従って、第１ローラ５１も２つが連動して同じようなフィルムに対する圧接作用を行う。複数の支持部材５４のうちの中央よりの２箇所については、同じガイド面５４１を有している。図５においてガイド面５４１の右端と、この右端に向かい合う第１搬送経路Ｒ１の終端Ｌ１との間には少し隙間があいている。
【００３７】
また、図５で一番下に設けられている支持部材５４は、上記ガイド面５４１と同じ面を有するとともに第３延出部５４２が設けられている。第３延出部５４２のほうがガイド面５４１よりも幅方向外側に位置している。この第３延出部５４２は、ガイド面５４１よりも第１搬送経路Ｒ１の終端側に近づく方向に形状が延びている。フィルムが搬送される搬送面（後述の第１延出部３３）と第３延出部５４２とはオーバーラップする形になり、接続箇所に大きな隙間を形成しないようにしている。
【００３８】
第１搬送経路Ｒ１は、幅方向両端部にある一対の搬送面Ｐと、一対の搬送面Ｐの間に形成される溝部Ｑとで形成されており、写真フィルムが搬送されるときには、幅方向両端部の搬送面Ｐが摺動面となるようにしている。この一対の搬送面Ｐのうちの図５の下方に示される搬送面Ｐからは第１延出部３３が巻き取り部Ｍの方向に向って延びている。この第１延出部３３は上記の第３延出部５４２にすぐ隣接して（第３延出部５４２のすぐ外側）配置されている。すなわち、平面視において、食い違うような（オーバーラップする）形態で延出部が構成されている。
【００３９】
複数の支持部材５４のうち図５の一番上（第２搬送経路Ｒ２に最も近い側）の支持部材５４は、上記ガイド面５４１と同じ面を有するとともに、第２延出部５４３が設けられている。この第２延出部５４３は、第１搬送経路Ｒ１側の終端に近づく方向に形状が延びている。また、この第２延出部５４３が延びていることにより、第１搬送経路Ｒ１の終端部には切り欠きＫが形成されている。これにより、平面視において、食い違うような形態で延出部が構成されている。第２延出部５４３の上面に形成されるガイド面は、フィルムの搬送面Ｐとほぼ同じ高さになるように設定されている。第３延出部５４２も同様である。
【００４０】
以上のような構成によれば、フィルム幅方向の両端部における経路の接続箇所に大きさ隙間が生じないような工夫がされている。従って、写真フィルムの幅方向端部にカットがあったとしてもスムーズに搬送可能である。なお、支持部材５４は、ドラム５０に写真フィルムが巻き取られていくと、図６（ａ）の時計方向に徐々に回転していく。すなわち、ガイド面５４１、第２延出部５４３、第３延出部５４２は次第に第１搬送経路Ｒ１や第２搬送経路Ｒ２の終端に近づく方向に移動していくが、最大限移動したとしても、両者間で干渉が起こらないような形状となっている。なお、搬送経路の終端部は写真フィルムのガイドする第１ガイド部に相当し、巻き取り部Ｍの第１ローラ５１や第２ローラ５２、これらを支持する機構は第２ガイド部に相当するものである。
【００４１】
＜画像読み取り動作＞
１３５フィルムの画像読み取りを行う場合の手順を説明する。現像済みの１３５フィルムを挿入口３０から挿入すると、フィルムの挿入が検出されると共に、不図示の駆動モータが起動され、１３５フィルムが第１搬送経路Ｒ１に沿って搬送される。１３５フィルムの先頭が第１開口部Ｋ１に来ると、画像読み取りが開始される。この１３５フィルムの往路における画像読み取りは、プレスキャニングと呼ばれるものであり、１３５フィルムの画像を荒い画素数で読み取る。１３５フィルム１本分の画像読み取りが終了するまで１３５フィルムの搬送が続けられ、１３５フィルムの先頭側から巻き取り部Ｍに順次巻き取られていく。上記のように第１搬送経路Ｒ１と巻き取り部Ｍの経路の接続箇所は、延出部を設けているので、１３５フィルムが通過するときに、たとえ１３５フィルムにカット部分があったとしても引っかかることはない。
【００４２】
読み取られた画像は、モニター画面に表示されオペレータは、表示された画像を見て色・濃度が適切な写真プリントが作成可能か否かについての判定を行う。色・濃度が適切ではないと判断した場合には、色・濃度に関する補正データを入力する。又その他の画像処理に関する作業を行う。１３５フィルム一本分の作業が終了すると、今度は１３５フィルムを逆方向に搬送させる。すなわち、駆動モータの回転方向を反転させ、１３５フィルムを挿入口３０から排出させる方向に移動させる。
【００４３】
この逆路（復路）においても１３５フィルムの画像読み取りが行われ、このときの画像読み取りは本スキャニングと呼ばれるものであり、高画素数での画像データを取得する。本スキャニングにおいて取得された画像データは、写真プリントの作成のために用いられるものである。また、このときプレスキャニングにより行った補正データに基づいて画像補正も行われる。この復路における搬送においても、巻き取り部Ｍの経路の接続箇所は、延出部を設けているので、１３５フィルムが通過するときに、たとえ１３５フィルムにカット部分があったとしても引っかかることはない。このように、仮にカットＣＵがあったとしても、１３５フィルムの搬送を支障なくスムーズに行うことができる。
【００４４】
＜搬送経路の切換＞
次に、図２から図３への搬送経路の切換動作について説明する。画像読み取り対象のフィルムが１３５フィルムからＡＰＳフィルムに切り替えるときは、電動モータ３７を駆動する。これにより、可動搬送ユニット３５がガイドレール３６に沿って図２の下方向（Ａ方向）に移動させられる。第２搬送経路Ｒ２が巻き取り部Ｍに接続された位置で可動搬送ユニット３５が停止させられる。なお、第１搬送経路Ｒ１と第２搬送経路Ｒ２を巻き取り部Ｍに接続する場合の位置制御は、例えば、可動搬送ユニット３５の位置を検出する位置センサーを設けることで行うことができる。あるいは、電動モータ３７の回転駆動量により制御してもよく、特定の手法に限定されるものではない。
【００４５】
図５で説明したように、第１延出部３３は第１搬送経路Ｒ１側から延出しており、図５の状態から可動搬送ユニット３５を移動させる場合は、第１延出部３３が巻き取り部Ｍから逃げる方向に移動するので、第１延出部３３が巻き取り部Ｍに干渉することはない。また、第２延出部５４３は、第１搬送経路Ｒ１の方向に延出されているが、図５において、第２延出部５４３よりも上側（第２搬送経路Ｒ２が設けられている側）は、この第２延出部５４３に干渉しないように形状を逃げておけばよい。従って、第２延出部５４３が存在しているにもかかわらず、可動搬送ユニット３５を図５の下方側に移動させることができる。第３延出部５４２についても、これと干渉しないように下部本体３５ａの下面の形状を逃げておけばよい。
【００４６】
第２搬送経路Ｒ２については、この第２延出部５４３と干渉しないようにするために、第２搬送経路Ｒ２の終端部と、巻き取り部Ｍとの間の接続箇所において、隙間が形成されることになる。しかしながら、ＡＰＳフィルムの場合は、既に説明したように、フィルムにはさみ等でカットが入れられることはない。従って、接続箇所に隙間が形成されていても、１３５フィルムの場合のような引っ掛かりが発生しない。すなわち、隙間があったとしてもＡＰＳフィルムはスムーズに搬送させることができる。
＜別実施形態＞
本実施形態では、写真フィルムのコマ画像を読み取るためのフィルム搬送ユニットとして説明したが、写真フィルムのコマ画像を写真感光材料（ペーパー）に投影露光するためのフィルム搬送ユニットの場合にも本発明は応用できるものである。
【００４７】
本実施形態では、ユニット移動機構は電動で移動させる構成であるが、手動で移動させる構成にしても良い。この場合、巻き取り部Ｍと、各搬送経路Ｒ１，Ｒ２との位置合わせを精度よく行うため、例えば、可動搬送ユニットに係合突起、固定本体側にこの係合突起と係合する係合凹部を設けることができる。
【００４８】
第１搬送経路Ｒ１と第２搬送経路Ｒ２の配置関係は逆にしても良い。すなわち、 図２において、上側を第１搬送経路Ｒ１とし下側を第２搬送経路Ｒ２としてもよい。
【図面の簡単な説明】
【００４９】
【図１】フィルム搬送ユニットが用いられる写真処理システムの構成を示す模式図
【図２】フィルム搬送ユニットの構成を示す平面図
【図３】フィルム搬送ユニットの構成を示す平面図
【図４】第１搬送経路と巻き取り部の構成を示す断面模式図
【図５】搬送経路と巻き取り部の接続箇所の詳細を示す平面図
【図６】搬送経路と巻き取り部の接続箇所の詳細を示す側面図
【図７】従来技術にかかる搬送経路と巻き取り部の接続箇所の構成を示す図
【図８】リーダに写真フィルムが接続された状態を示す図
【図９】写真フィルムにカットが入った状態を示す図
【符号の説明】
【００５０】
１      画像読取装置
４      フィルム搬送ユニット
３３    第１延出部
３５    可動搬送ユニット
３６    ガイドレール
３７    電動モータ
５０    巻き取り用ドラム
５１，５２，５３      第１ローラ、第２ローラ、第３ローラ
５４，５５，５６      支持部材
５４１  ガイド面
５４２  第３延出部
５４３  第２延出部
Ｋ１    第１開口部
Ｋ２    第２開口部
Ｍ      共通巻き取り部
Ｓ      隙間
Ｒ１    第１搬送経路
Ｒ２    第２搬送経路
Ｆ      写真フィルム
【図１】
2005219919.tif 000003
【図２】
2005219919.tif 000004
【図３】
2005219919.tif 000005
【図４】
2005219919.tif 000006
【図５】
2005219919.tif 000007
【図６】
2005219919.tif 000008
【図７】
2005219919.tif 000009
【図８】
2005219919.tif 000010
【図９】
2005219919.tif 000011